(57)【特許請求の範囲】
【請求項１】
同心円状又は螺旋状の情報トラック上に、記録マーク及びスペースによって情報の記録を行った記録領域と、
前記記録領域に続けて、記録マーク及びスペースによって情報が記録され、前記記録領域内の最終データをアクセスした際のアクセス誤差以上の幅を有する第１の緩衝領域と、
前記第１の緩衝領域に続けて、記録マーク及びスペースによって情報が記録され、あるいは、スペースのみによって領域が確保され、２トラック以下の幅を有する認識マーク領域と、
前記認識マーク領域をアクセスした際のアクセス誤差以上の幅を有し、前記認識マーク領域に続けて、記録マーク及びスペースによって情報が記録された、第２の緩衝領域と、の組が、１つ又は複数続けて配置されており、
最後に配置された認識マーク領域には記録マークが記録されておらず、前記最後に配置された認識マーク領域以外の認識マーク領域には再生可能な記録マークが記録された光ディスクから情報を再生する光ディスクの再生装置であって、
前記光ディスクを回転させる回転手段と、光源から発生した光ビームを前記情報トラック上に照射する光学ヘッドと、目的の前記情報トラックを検索する検索手段と、前記情報トラック上に記録されている情報を読み取る読み取り手段とを備え、
認識マーク領域に記録マークが存在しないと判定することにより、前記存在しないと判定された認識マーク領域と同じ組に属する記録領域が最終記録領域であると特定するようにしたことを特徴とする光ディスクの再生装置。
【請求項２】
同心円状又は螺旋状の情報トラック上に、記録マーク及びスペースによって情報の記録を行った記録領域と、
前記記録領域に続けて、記録マーク及びスペースによって情報が記録され、前記記録領域内の最終データをアクセスした際のアクセス誤差以上の幅を有する第１の緩衝領域と、
前記第１の緩衝領域に続けて、記録マーク及びスペースによって情報が記録され、あるいは、スペースのみによって領域が確保され、２トラック以下の幅を有する認識マーク領域と、
前記認識マーク領域をアクセスした際のアクセス誤差以上の幅を有し、前記認識マーク領域に続けて、記録マーク及びスペースによって情報が記録された、第２の緩衝領域と、の組が、１つ又は複数続けて配置されており、
最後に配置された認識マーク領域には記録マークが記録されておらず、前記最後に配置された認識マーク領域以外の認識マーク領域には再生可能な記録マークが記録された光ディスクから情報を再生する光ディスクの再生装置であって、
前記光ディスクを回転させる回転手段と、光源から発生した光ビームを前記情報トラック上に照射する光学ヘッドと、目的の前記情報トラックを検索する検索手段と、前記情報トラック上に記録されている情報を読み取る読み取り手段とを備え、
前記検索手段によって前記光ディスクに配置された認識マーク領域を検索し、ある認識マーク領域に記録されたデータが前記読み取り手段によって読み取れない場合に、前記ある認識マーク領域と同じ組に属する記録領域が最終記録領域であると特定するようにしたことを特徴とする光ディスクの再生装置。
【発明の詳細な説明】
技術分野
本発明は、光ディスク、その記録方法、その記録装置、その再生方法及びその再生装置に関する。さらに詳細には、記録領域の後ろに認識マーク領域を有する光ディスク、その記録方法、その記録装置、その再生方法及びその再生装置に関する。
背景技術
光ディスクは、半導体レーザを用いた高密度情報記録媒体であり、記録部分と未記録部分とで光ビームの反射率が異なることを利用して情報を再生するものである。
光ディスクには、所定の情報信号が書き込まれた１つ又は複数の『記録領域』が設けられており、記録領域の外周側には新たな情報信号を書き込むことのできる『未記録領域』が設けられている。そして、特に、複数回にわたる記録が行われた光ディスクを再生しようとする場合には、ディスクの記録領域数を知る必要がある。すなわち、再生しようとするディスクの『最終記録領域』を検出する必要がある。このように再生しようとするディスクの最終記録領域を検出するためには、光学ヘッドの移動を繰り返して、第１番目の記録領域から始めて順次記録領域を送っていく必要がある。しかし、次の記録領域が存在するか否かは光学ヘッドをその位置に移動させなければ知ることができず、光学ヘッドが未記録領域に移動した場合には、サーボ制御できずに異常状態に陥ってしまう。
このため、特開平６−３４９２５２号公報に記載された光ディスクの再生方法においては、記録領域の先頭にあるリードイン領域で当該記録領域のリードアウト領域のアドレスを読み込んで、当該リードアウト領域にアクセスし、その後、外周方向に１トラック又は複数トラックのジャンプを繰り返すことによって次の記録領域に光学ヘッドを移動させ、外周方向への１トラック又は複数トラックのジャンプ中に、未記録領域に到達したと判断した場合には、トラッキングサーボをオンしないで光学ヘッドを内周側に戻すようにすることにより、未記録領域でサーボ制御できずに異常状態に陥ってしまうことを防止している。
しかし、上記公報に記載された光ディスクの再生方法においては、『最終記録領域』を検出する際に光学ヘッドが未記録領域に到達してしまうことを避けることができず、トラッキングサーボをオンしないで光学ヘッドを内周側に戻す動作が必要となるので、『最終記録領域』の検出を効率良く行うことができないという問題点がある。
そこで、最近、記録領域の最終データの直後に、続く領域が未記録であるか否かを認識するための認識マーク領域を設け、この認識マーク領域をアクセスした際の挙動によって認識マーク領域の状態を検出することにより、認識マーク領域以後が未記録領域であるか記録領域であるか（当該記録領域が最終記録領域であるか否か）を判別するようにした技術が提案されている。この技術においては、認識マーク領域を正常にアクセスすることができない場合に、続く領域が未記録領域であると判別される。この場合、認識マーク領域をアクセスするに際しては、まず、記録領域の先頭にあるリードインデータをアクセスしてリードアウト領域のアドレスを求め、その先頭付近にある認識マーク領域のアドレスにアクセスする。未記録領域に新たな情報信号を書き込む場合には、認識マーク領域にデータエラーを起こさない再生可能な記録マークを記録すると共に、新たに情報信号が書き込まれた領域（新たな記録領域）の後に新たな認識マーク領域が設けられる。
しかし、上記したマーキング方法においては、記録領域の最終データの直後に認識マーク領域を設けるようにした場合、記録領域の最終データへのアクセス時にアクセス誤差があると、光学ヘッドが誤って認識マーク領域に飛び込んでアクセス動作が不安定になる虞れがあった。また、未記録領域の直前に認識マーク領域を設けるようにした場合には、認識マーク領域へのアクセス時に光学ヘッドが未記録領域に突入し、サーボ制御できずに異常状態に陥る虞れがあった。さらに、後続の記録領域が存在する場合には、その最初のデータをアクセスする際に光学ヘッドが認識マーク領域に飛び込んでアクセス動作が不安定になる虞れがあった。
発明の開示
本発明は、従来技術における前記課題を解決するためになされたものであり、記録領域の最終データをアクセスする場合にもアクセス動作が不安定になることがなく、また、認識マーク領域をアクセスする場合にも異常状態に陥ることがなく、さらに、後続の記録領域が存在する場合にその最初のデータをアクセスする際にもアクセス動作が不安定になることのない光ディスク、その記録方法、その記録装置、その再生方法及びその再生装置を提供することを目的とする。
前記目的を達成するため、本発明に係る光ディスクの再生装置の第１の構成は、同心円状又は螺旋状の情報トラック上に、記録マーク及びスペースによって情報の記録を行った記録領域と、前記記録領域に続けて、記録マーク及びスペースによって情報が記録され、前記記録領域内の最終データをアクセスした際のアクセス誤差以上の幅を有する第１の緩衝領域と、前記第１の緩衝領域に続けて、記録マーク及びスペースによって情報が記録され、あるいは、スペースのみによって領域が確保され、２トラック以下の幅を有する認識マーク領域と、前記認識マーク領域をアクセスした際のアクセス誤差以上の幅を有し、前記認識マーク領域に続けて、記録マーク及びスペースによって情報が記録された、第２の緩衝領域と、の組が、１つ又は複数続けて配置されており、最後に配置された認識マーク領域には記録マークが記録されておらず、前記最後に配置された認識マーク領域以外の認識マーク領域には再生可能な記録マークが記録された光ディスクから情報を再生する光ディスクの再生装置であって、前記光ディスクを回転させる回転手段と、光源から発生した光ビームを前記情報トラック上に照射する光学ヘッドと、目的の前記情報トラックを検索する検索手段と、前記情報トラック上に記録されている情報を読み取る読み取り手段とを備え、認識マーク領域に記録マークが存在しないと判定することにより、前記存在しないと判定された認識マーク領域と同じ組に属する記録領域が最終記録領域であると特定するようにしたことを特徴とする。
また、本発明に係る光ディスクの再生装置の第２の構成は、同心円状又は螺旋状の情報トラック上に、記録マーク及びスペースによって情報の記録を行った記録領域と、前記記録領域に続けて、記録マーク及びスペースによって情報が記録され、前記記録領域内の最終データをアクセスした際のアクセス誤差以上の幅を有する第１の緩衝領域と、前記第１の緩衝領域に続けて、記録マーク及びスペースによって情報が記録され、あるいは、スペースのみによって領域が確保され、２トラック以下の幅を有する認識マーク領域と、前記認識マーク領域をアクセスした際のアクセス誤差以上の幅を有し、前記認識マーク領域に続けて、記録マーク及びスペースによって情報が記録された、第２の緩衝領域と、の組が、１つ又は複数続けて配置されており、最後に配置された認識マーク領域には記録マークが記録されておらず、前記最後に配置された認識マーク領域以外の認識マーク領域には再生可能な記録マークが記録された光ディスクから情報を再生する光ディスクの再生装置であって、前記光ディスクを回転させる回転手段と、光源から発生した光ビームを前記情報トラック上に照射する光学ヘッドと、目的の前記情報トラックを検索する検索手段と、前記情報トラック上に記録されている情報を読み取る読み取り手段とを備え、前記検索手段によって前記光ディスクに配置された認識マーク領域を検索し、ある認識マーク領域に記録されたデータが前記読み取り手段によって読み取れない場合に、前記ある認識マーク領域と同じ組に属する記録領域が最終記録領域であると特定するようにしたことを特徴とする。
【図面の簡単な説明】
図１は本発明の一実施の形態における光ディスクの記録再生装置の構成を示すブロック図であり、図２は本発明の一実施の形態における光ディスクの構成を示す平面図であり、図３は本発明の一実施の形態における光ディスクの記録再生装置の動作を示すフローチャートであり、図４は本発明の一実施の形態における光学ヘッドのアクセス状態を示す説明図であり、図５は本発明の一実施の形態における光ディスクへの記録方法を示す説明図であり、図６は本発明の一実施の形態における他の光ディスクの記録再生装置の動作を示すフローチャートであり、図７は本発明の一実施の形態における他の光ディスクへの記録方法を示す説明図である。
発明を実施するための最良の形態
以下、実施の形態を用いて本発明をさらに具体的に説明する。
図１は本発明の一実施の形態における光ディスクの記録再生装置の構成を示すブロック図、図２は本発明の一実施の形態における光ディスクの構成を示す平面図である。
図１において、１は光ディスク、２は光学ヘッド、３はサーボ制御手段、７は記録信号制御手段、８はアクセス制御手段、９はマーク制御手段、１０はアドレス検出手段である。また、図１、図２において、１は光ディスク、４は情報が記録された記録領域、５は未記録領域、６はマーク領域、６ｂは第１の緩衝領域、６ｃは第２の緩衝領域、６ｄは認識マーク領域である。
図１に示すように、モータによって回転可能な光ディスク１のディスク表面の近傍には、光学ヘッド２が配置されている。この光学ヘッド２は、光ディスク１に光ビームスポットを照射し、同心円状又は螺旋状の情報記録トラック上の情報の読み取り（再生）と書き込み（記録）、及びサーボ信号の検出を行う。また、サーボ制御手段３は、光学ヘッド２からのサーボ信号により、光学ヘッド２から光ディスク１に照射される光ビームスポットを指定された情報記録トラック上に維持する。
アクセス制御手段８は、情報記録トラックから読み出された情報からアドレス検出手段１０によって検出されるアドレス情報により、アクセス情報をサーボ制御手段３に送出する。光学ヘッド２は、サーボ制御手段３からの情報によって光ディスク１の径方向に送り操作され、これにより指定された情報記録トラックへのアクセスが行われる。
光ディスク１に書き込むべき情報信号（記録信号）は、記録信号制御手段７から光学ヘッド２へ送出される。そして、記録信号に応じてその強度が変調された光ビームスポットが光ディスク１の情報記録トラック上に照射され、これにより光ディスク１に記録領域４が形成される。また、情報記録トラック上の情報の読み取りは、情報の書き込み時とは強度の異なる光ビームスポットを光ディスク１に照射し、記録部分と未記録部分とで光ビームの反射率が異なることを利用して行われる。
マーク制御手段９は、記録領域４の記録が完了した後に、アドレス検出手段１０からの情報に基づいて、記録信号制御手段７を通じて光学ヘッド２に記録信号を送出することにより、第１の緩衝領域６ｂ、認識マーク領域６ｄ、第２の緩衝領域６ｃの記録制御を行う。
ここで、第１の緩衝領域６ｂの幅は、記録領域４内の最終データ４ａをアクセスした際のアクセス誤差以上の幅に設定される。一般的な再生装置の場合、主としてトラックカウント誤差とブレーキ制御の精度に起因する、このアクセス誤差は数十トラックであるため、第１の緩衝領域６ｂの幅は約２０〜１００トラック分に設定される。これは、トラックピッチを０．８μｍとした場合、１６〜８０μｍに相当する。また、第２の緩衝領域６ｃの幅は、認識マーク領域６ｄをアクセスした際のアクセス誤差あるいはサーボ外れのスリップ量以上の幅に設定される。一般的な再生装置の場合、このアクセス誤差、スリップ量とも数十トラックであるため、第２の緩衝領域６ｃの幅は約２０〜１００トラックに設定される。これは、トラックピッチを０．８μｍとした場合、１６〜８０μｍに相当する。また、認識マーク領域６ｄの幅は２トラック以下であるのが好ましく、さらには０．４５〜１．１トラックであるのが好ましい。
第１及び第２の緩衝領域（＝リードアウト領域）６ｂ、６ｃの記録は、リードアウトであることを示す情報を記録する以外は、通常のデータを記録する場合と同じ方法及び信号によって行われる。
図１、図２は１回目の記録が行われた後の状態を示している。図１、図２に示すように、光ディスク１の内周側には、所定の情報信号が書き込まれた記録領域４に続けて、第１の緩衝領域６ｂと、認識マーク領域６ｄと、第２の緩衝領域６ｃとが記録されている。また、第２の緩衝領域６ｃに続けて、未記録領域５が設けられている。このように第２の緩衝領域６ｃの外周側が未記録領域５となっている場合、認識マーク領域６ｄ（光ディスクの約一周分＝約０．８μｍ）は、記録マークが存在しない状態にある。記録マークが存在しない状態は、第１の緩衝領域６ｂ、認識マーク領域６ｄ、第２の緩衝領域６ｃと続く一連の記録の中で、認識マーク領域６ｄに相当する部分で光学ヘッド２からレーザの記録パルスを出さないようにすることによって実現される。そして、再生装置は、認識マーク領域６ｄに記録マークが存在しないこと、認識マーク領域６ｄへのアクセスを正常に行うことができないこと、あるいは、認識マーク領域６ｄのデータを再生することができないことを判別することにより、記録領域４が最終記録領域であると判断する。この場合、認識マーク領域６ｄに記録マークが存在するかどうかは、光学ヘッド２から出力されるＲＦ信号の有無を確認することによって判別可能である。
記録領域４の最終データ４ａや認識マーク領域６ｄ等へのアクセス指令は、アクセス制御手段８からサーボ制御手段３に送出される。光学ヘッド２によって光ディスク１の記録領域４内のリードイン領域４ｂから読み出されたマーク領域６等のアドレス情報は、アドレス検出手段１０によって検出される。また、マーク領域６の記録指令及び認識マークの消去指令は、アクセス制御手段８からマーク制御手段９に送出される。マーク制御手段９は、アクセス制御手段８及びアドレス検出手段１０からの情報により、マーク領域６の記録制御及び認識マークの消去制御を記録信号制御手段７に対して行う。
また、図１、図２に示すように光ディスク１の記録領域４よりも外周側に未記録領域５が存在する場合には、この未記録領域５内に新たな情報信号を書き込むことができる。図５はこの様子を示したものであり、１１は新たな記録領域、１２ｂは新たな第１の緩衝領域、１２ｄは新たな認識マーク領域、１２ｃは新たな第２の緩衝領域である。この場合、認識マーク領域６ｄには再生可能な記録マーク６ａが記録されると共に、第２の緩衝領域６ｃに続けて、新たな記録領域１１、新たな第１の緩衝領域１２ｂ、記録マークが存在しない状態の新たな認識マーク領域１２ｄ、新たな第２の緩衝領域１２ｃが記録され、同時に、認識マーク領域６ｄに再生可能な記録マーク６ａが記録される。また、新たな第２の緩衝領域１２ｃに続けて、新たな未記録領域１３が設けられる。上述したように、再生装置は、認識マーク領域に記録マークが存在しないこと、認識マーク領域へのアクセスを正常に行うことができないこと、あるいは、認識マーク領域のデータを再生することができないことを判定することによって最終記録領域を判別するので、この場合には、記録領域４に代わって記録領域１１が最終記録領域であると判断される。
尚、光ディスク１の積層構造としては、基材・記録層・保護層、基材・保護（誘電体）層・記録層・保護（誘電体）層、基材・保護（誘電体）層・記録層・保護（誘電体）層・反射層等がある。光ディスク１の記録層には、ＴｅＯｘ（０＜ｘ＜１）系、ＢｉＴｅＡｇ系、ＢｉＴｅＡｌ系、ＢｉＴｅＡｕ系、ＢｉＴｅＰｄ系、ＢｉＳｂＴｅ系、ＢｉＡｓＴｅ系、ＢｉＴｅＳｎ系、ＢｉＴｅＰｔ系、ＧｅＳｂＴｅ系、ＧｅＴｅＳｅ系、ＧｅＴｅＳｎ系、ＩｎＳｅ系等を主成分とした相変化記録材料、あるいはシアニン系、メロシアニン系、トリフェニルメタン系、ジアリールエタン系、アゾ系、キノン系、スクアリリウム系、ピリリウム系、インドフェノール系、アズレニウム系、スチリル系、ポルフィリン系、インジゴ系、チオインジゴ系、オキサジン系、インダンスレン系、含金属錯体系、アントラキノン系、フタロシアニン系、ナフタロシアニン系、縮合環系等を主成分とした色素系材料が用いられている。この場合、相変化記録材料には、一般的に周期律表ＩＩＩ族〜ＶＩ族の元素が適宜添加され、色素系材料には、主成分の材料の効力を損なわない範囲で、特性改善材料として、金属錯体、ニトロセルロース、アクリル樹脂、ポリスチレン樹脂、ウレタン樹脂、レベリング剤、消泡剤、消炎剤、紫外線吸収剤等が添加される。光ディスク１への情報の書き込みは、上述のように光学ヘッド２から光ディスク１の情報記録トラック上に光ビームスポットを照射し、記録層に光吸収による局部的な熱変化あるいは光化学変化を誘起させることによって行われる。
次に、上記のように構成された光ディスクの記録再生装置の動作について、図１、図３〜図５を参照しながら説明する。図３は本発明の一実施の形態における光ディスクの記録再生装置の動作を示すフローチャート、図４は本発明の一実施の形態における光学ヘッドのアクセス状態を示す説明図、図５は本発明の一実施の形態における光ディスクへの記録方法を示す説明図である。
まず、アクセス制御手段８からサーボ制御手段３に記録領域４のリードイン領域４ｂ中のリードインデータへのアクセス指令が送出され、サーボ制御手段３からの情報によって光学ヘッド２が光ディスク１の径方向に送り操作され、光学ヘッド２が記録領域４のリードイン領域４ｂ中のリードインデータをアクセスする（ステップ１０１）。これにより、当該記録領域に対応する認識マーク領域６ｄのアドレス情報が得られる（ステップ１０２）。また、記録領域４の最終データ４ａと認識マーク領域６ｄとの間には、記録領域４の最終データ４ａをアクセスした際のアクセス誤差以上の幅を有する第１の緩衝領域６ｂが設けられているので、記録領域４の最終データ４ａをアクセスする際にアクセス誤差があっても、認識マーク領域６ｄに光学ヘッド２が飛び込むことはないので（図４の実線矢印）、記録領域４の最終データ４ａを安定にアクセスすることができる。
次いで、アクセス制御手段８からサーボ制御手段３に認識マーク領域６ｄのアドレスへのアクセス指令が送出され、サーボ制御手段３からの情報によって光学ヘッド２が光ディスク１の径方向に送り操作され、光学ヘッド２が認識マーク領域６ｄのアドレスにアクセスする（ステップ１０３）。認識マーク領域６ｄのアドレスへのアクセスの結果、サーボ外れやデータエラーが発生せず、正常にアクセスすることができた場合には、『次の記録領域が存在する』と判断する（ステップ１０４）。この場合には、ステップ１０１に戻って、次の記録領域のリードイン領域中のリードインデータをアクセスし、ステップ１０１〜ステップ１０３が繰り返される。認識マーク領域６ｄのアドレスへのアクセスの結果、データエラーが発生して、正常にアクセスすることができない場合には、『当該記録領域が最終記録領域である』と判断する（ステップ１０５）。すなわち、『当該記録領域４の外周側は未記録領域５である』と判断する（図５（ａ）の状態）。この場合、認識マーク領域６ｄと未記録領域５との間には、認識マーク領域６ｄをアクセスした際のアクセス誤差あるいはサーボ外れのスリップ量以上の幅を有する第２の緩衝領域６ｃが設けられているので、認識マーク領域６ｄをアクセスした際に、光学ヘッド２が未記録領域５に突入することがなく、また、認識マーク領域６ｄでサーボが飛ばされても、未記録領域５までに光学ヘッド２が再引き込みされるので（図４の破線矢印）、光学ヘッド２の未記録領域５への突入を防止することができる。その結果、サーボ制御できずに異常状態に陥ることを防止することができる。ここまでの処理は、再生専用の装置にも共通の処理である。
ステップ１０５のように、『当該記録領域が最終記録領域である』と判断した場合には、未記録領域５に新たな情報信号を書き込むか否かをさらに判断する（ステップ１０６）。新たな情報信号を書き込むと判断した場合には、アクセス制御手段８からマーク制御手段９へ認識マークの消去指令が送出され、マーク制御手段９がアクセス制御手段８及びアドレス検出手段１０からの情報に基づいて認識マークの消去制御を記録信号制御手段７に対して行い、図５（ａ）、（ｂ）に示すように、認識マーク領域６ｄに再生可能な記録マーク６ａが記録されて、認識マークが消去される（ステップ１０７）。次いで、未記録領域５に書き込むべき情報信号が記録信号制御手段７から光学ヘッド２へ送出され、図５（ｂ）、（ｃ）に示すように、未記録領域５に情報信号が書き込まれる（新たなリードイン領域１１ｂを含む新たな記録領域１１が設けられる）（ステップ１０８）。次いで、アクセス制御手段８からマーク制御手段９へマーク領域の記録指令が送出され、マーク制御手段９がアクセス制御手段８及びアドレス検出手段１０からの情報に基づいてマーク領域の記録制御を記録信号制御手段７に対して行い、図５（ｃ）に示すように、新たな記録領域１１の後に、新たな第１及び第２の緩衝領域１２ｂ、１２ｃが記録されると共に、記録マークが存在しない状態の新たな認識マーク領域１２ｄが形成され（ステップ１０９）、第２の緩衝領域１２ｃの後に新たな未記録領域１３が設けられる。また、未記録領域５に新たな情報信号を書き込まないと判断した場合には、そのまま動作が終了する。
また、以上のようにして複数の記録領域４、１１の記録が完結した後の情報の再生は、次のようにして行われる。すなわち、まず、サーボ制御手段３からの情報によって光学ヘッド２が光ディスク１の径方向に送り操作されて、認識マーク領域が検索される。次いで、認識マーク領域上に光学ヘッド２から所定の強度の光ビームスポットが照射されて、当該認識マーク領域の状態が判定される。次いで、認識マーク領域の状態の判定結果に基づいて、記録が完結した記録領域が特定される。そして、特定された記録領域上に光学ヘッド２から所定の強度の光ビームスポットが照射され、これにより当該記録領域の情報の再生が行われる。
尚、上記実施の形態においては、後続の記録領域が存在しない場合に、認識マーク領域６ｄを記録マーク６ａが存在しない状態（認識マークが存在する状態）とし、後続の記録領域が存在する場合に、認識マーク領域６ｄに再生可能な記録マーク６ａを記録することによって認識マークを消去するようにされているが、必ずしもこの方式に限定されるものではない。例えば、後続の記録領域が存在しない場合に、認識マーク領域６ｄに再生可能な記録マーク６ａを記録することによって認識マークが存在しない状態とし、後続の記録領域が存在する場合に、認識マーク領域６ｄに任意のデータを二重書きすることによって再生可能な記録マーク６ａを再生不能な記録マークに書き換えるようにしてもよい。ここで、認識マークが存在しない状態は、第１の緩衝領域６ｂに続いて認識マーク領域６ｄに同一のデータを記録し、引き続き第２の緩衝領域６ｃを記録することによって実現される。また、二重書きは、任意のデータ（通常は、ゼロをエンコードしたもの）を重ね書きすることによって行われる。この場合、再生装置は、認識マーク領域６ｄへのアクセスを正常に行うことができること、あるいは、認識マーク領域６ｄのデータを再生することができることを判別することにより、記録領域４が最終記録領域であると判断する。
以下、この場合の光ディスクの記録再生装置の動作について、図６、図７を参照しながら説明する。尚、ステップ１０１〜１０３については上記実施の形態と同じであるため（図３参照）、その説明は省略する。
認識マーク領域６ｄのアドレスへのアクセスの結果、データエラーが発生し、正常にアクセスすることができない場合には、『次の記録領域が存在する』と判断する（ステップ１０４ａ）。この場合には、ステップ１０１に戻って、次の記録領域のリードイン領域中のリードインデータをアクセスし、ステップ１０１〜ステップ１０３が繰り返される。認識マーク領域６ｄのアドレスへのアクセスの結果、サーボ外れやデータエラーが発生せず、正常にアクセスすることができた場合には、『当該記録領域が最終記録領域である』と判断する（ステップ１０５ａ）。すなわち、『当該記録領域４の外周側は未記録領域５である』と判断する（図７（ａ）の状態）。
ステップ１０５ａのように、『当該記録領域が最終記録領域である』と判断した場合には、未記録領域５に新たな情報信号を書き込むか否かをさらに判断する（ステップ１０６ａ）。新たな情報信号を書き込むと判断した場合には、アクセス制御手段８からマーク制御手段９へ認識マークのマーキング指令が送出され、マーク制御手段９がアクセス制御手段８及びアドレス検出手段１０からの情報に基づいて認識マークのマーキング制御を記録信号制御手段７に対して行い、図７（ａ）、（ｂ）に示すように、認識マーク領域６ｄに任意のデータを二重書きすることによって再生可能な記録マーク６ａが再生不能な記録マークに書き換えられて、認識マークが記録される（ステップ１０７ａ）。次いで、未記録領域５に書き込むべき情報信号が記録信号制御手段７から光学ヘッド２へ送出され、図７（ｂ）、（ｃ）に示すように、未記録領域５に情報信号が書き込まれる（新たなリードイン領域１１ｂを含む新たな記録領域１１が設けられる）（ステップ１０８ａ）。次いで、アクセス制御手段８からマーク制御手段９へマーク領域の記録指令が送出され、マーク制御手段９がアクセス制御手段８及びアドレス検出手段１０からの情報に基づいてマーク領域の記録制御を記録信号制御部７に対して行い、図７（ｃ）に示すように、新たな記録領域１１の後に、新たな第１及び第２の緩衝領域１２ｂ、１２ｃが記録されると共に、認識マーク領域に再生可能な記録マークが記録され（ステップ１０９ａ）、第２の緩衝領域１２ｃの後に新たな未記録領域１３が設けられる。この場合、再生装置は、認識マーク領域へのアクセスを正常に行うことができること、あるいは、認識マーク領域のデータを再生することができることを認識することにより、最終記録領域を判断するようにされているので、記録領域４に代わって記録領域１１が最終記録領域であると判断されることになる。また、未記録領域５に新たな情報信号を書き込まないと判断した場合には、そのまま動作が終了する。
また、以上のようにして複数の記録領域４、１１の記録が完結した後の情報の再生は、次のようにして行われる。すなわち、まず、サーボ制御手段３からの情報によって光学ヘッド２が光ディスク１の径方向に送り操作されて、認識マーク領域が検索される。次いで、認識マーク領域上に光学ヘッド２から所定の強度の光ビームスポットが照射されて、当該認識マーク領域の状態が判定される。次いで、認識マーク領域の状態の判定結果に基づいて、記録が完結した記録領域が特定される。そして、特定された記録領域上に光学ヘッド２から所定の強度の光ビームスポットが照射され、これにより当該記録領域の情報の再生が行われる。
また、上記実施の形態においては、認識マーク領域６ｄの情報トラック上に認識マークを記録した後、あるいは記録された認識マークを消去した後、未記録領域５に情報信号を書き込むようにしているが、必ずしもこの順番に限定されるものではなく、未記録領域５に情報信号を書き込んだ後、認識マーク領域６ｄの情報トラック上に認識マークを記録し、あるいは記録された認識マークを消去するようにしてもよい。
また、上記実施の形態においては、最初に単独の記録領域４が設けられた光ディスク１を例に挙げて説明したが、必ずしもこの構成の光ディスクに限定されるものではなく、最初に複数の記録領域が設けられた複数回記録の光ディスクであっても、同様の効果が得られる。
また、上記実施の形態においては、再生不能な記録マークを形成する方法として、認識マーク領域全体に任意のデータを二重書きする方法を例に挙げて説明したが、必ずしもこの方法に限定されるものではなく、例えば、断続的に重ね書きを行う方法、あるいは断続的に記録マークを消去する方法などによって再生不能な記録マークを形成するようにしてもよい。
また、消去可能型記録再生ディスクにおいては、最終記録領域に対応する認識マーク領域の状態、及びそれ以外の記録領域に対応する認識マーク領域の状態として、記録マークが形成されていない状態、再生可能な記録マークが形成されている状態、再生不能な記録マークが形成されている状態の３つの中から任意に選ばれた２つを用いることができる。
産業上の利用可能性
以上のように、本発明によれば、記録領域の最終データをアクセスする場合にもアクセス動作が不安定になることがなく、また、認識マーク領域をアクセスする場合にも異常状態に陥ることがなく、さらに、後続の記録領域が存在する場合にその最初のデータをアクセスする際にもアクセス動作が不安定になることがなく、記録領域の後ろに認識マーク領域を有する光ディスクの記録再生に利用可能である。
【図１】
0004159616.tif 000002
【図２】
0004159616.tif 000003
【図３】
0004159616.tif 000004
【図４】
0004159616.tif 000005
【図５】
0004159616.tif 000006
【図６】
0004159616.tif 000007
【図７】
0004159616.tif 000008